(57)【要約】      （修正有）【課題】焦電型赤外線センサの電源供給再開直後での検知能力低下を防止し、省電力化を適切に行うことが可能な人検知装置を提供する。【解決手段】信号処理回路２２０は、焦電型赤外線センサによって構成された人検知センサ２１０の出力信号を処理する。電源回路２５０からの電源電圧は、電源配線２６０によって人検知センサ２１０に供給される。信号処理回路２２０は、電源スイッチ２７０を経由して電源回路２５０と電気的に接続される。コントローラ５０は、信号処理回路２２０によって処理された信号に基づいて人の存在の有無を検知するとともに、電源スイッチ２７０のオンオフ制御によって信号処理回路２２０への電源供給を制御することができる。【選択図】図３
2018054486.tif 000002
【特許請求の範囲】
【請求項１】
焦電型赤外線センサと、
前記焦電型赤外線センサの出力信号を処理するための信号処理回路と、
前記焦電型赤外線センサおよび前記信号処理回路の電源電圧を並列に供給する電源回路と、
前記電源回路および前記信号処理回路の間に電気的に接続された電源スイッチと、
前記電源スイッチのオンオフを制御するとともに、前記信号処理回路によって処理された信号に基づいて人の存在の有無を検知する制御回路とを備える、人検知装置。
【請求項２】
前記人検知装置は、給湯システムに用いられ、
前記制御回路は、前記給湯システムの運転オフ状態において前記電源スイッチをオフするとともに、前記給湯システムの運転オン状態において前記電源スイッチをオンする、請求項１記載の人検知装置。
【請求項３】
前記制御回路は、前記給湯システムの前記運転オン状態において、前記人が検知されていない状態では、省電力モードを適用して断続的に前記電源スイッチをオンする一方で、断続的な前記電源スイッチのオン期間において前記信号処理回路によって処理された信号に基づいて前記人の存在を検知すると、前記省電力モードを解除して前記電源スイッチがオンされる期間の割合を前記省電力モード時よりも増加させる、請求項２記載の人検知装置。
【請求項４】
前記制御回路は、前記省電力モードが解除されると、前記電源スイッチをオン状態に維持する、請求項３記載の人検知装置。
【発明の詳細な説明】
【技術分野】
【０００１】
この発明は、人検知装置に関し、より特定的には、焦電型赤外線センサの出力に基づいて人の存在の有無を検知するための人検知装置に関する。
【背景技術】
【０００２】
人体から発せられる赤外線エネルギの変化量を検知する焦電型赤外線センサを用いて、人の存在の有無を検知する技術が公知である。通常、焦電型赤外線センサからの出力は微弱であるので、増幅回路等によって処理された出力信号を用いて、センサの視野内での人の存在の有無が判断されている。
【０００３】
たとえば、特許第５０７０９７０号公報（特許文献１）には、空気調和機の室内機に設けられた赤外線センサユニットから出力された電気信号を帯域増幅器および比較部で処理することによって、人の存否を検知する構成が記載されている。特許文献１では、赤外線センサユニットの電源電圧をオン状態としてから所定時間内の出力挙動に基づいて、センサの異常判定を行う手法が記載されている。
【０００４】
また、特開平７−１７４６２７号公報（特許文献２）には、焦電型赤外線センサの出力信号を、増幅回路およびレベル弁別回路等によって処理することによって、人の存否を検知した結果に従って照明装置の点灯を制御することが記載されている。特許文献２では、電源投入から所定時間（ウォームアップ時間）にわたって照明の点灯を禁止すること、ならびに、当該期間では発光ダイオードによってウォームアップ中である旨をユーザに報知することが記載されている。
【先行技術文献】
【特許文献】
【０００５】
【特許文献１】特許第５０７０９７０号公報
【特許文献２】特開平７−１７４６２７号公報
【発明の概要】
【発明が解決しようとする課題】
【０００６】
通常、人検知装置を含む機器類において、不使用時や待機時には電源供給を自動的にオフすることで省電力を図る技術が適用されている。しかしながら、特許文献１および２にも記載されるように、焦電型赤外線センサでは、電源投入直後では出力が不安定となる。
【０００７】
したがって、焦電型赤外線センサを用いた人検知装置では単純に電源供給をオフすると、電源供給再開直後での検知能力が低下することが懸念される。
【０００８】
この発明はこのような問題点を解決するためになされたものであって、この発明の目的は、焦電型赤外線センサを用いた人検知装置の省電力化を適切に行うことである。
【課題を解決するための手段】
【０００９】
この発明のある局面によれば、人検知装置は、焦電型赤外線センサと、信号処理回路と、電源回路と、制御回路とを備える。信号処理回路は、焦電型赤外線センサの出力信号を処理するように構成される。電源回路は、焦電型赤外線センサおよび信号処理回路の電源電圧を並列に供給する。電源スイッチは、電源回路および信号処理回路の間を電気的に接続するように配置される。制御回路は、電源スイッチのオンオフを制御するとともに、信号処理回路によって処理された信号に基づいて人の存在の有無を検知する。
【００１０】
上記人検知装置によれば、電源投入直後には出力が不安定になる傾向にある焦電型赤外線センサに対しては電源回路からの電源電圧を常時供給する一方で、電源スイッチをオフすることによって信号処理回路への電源供給を遮断することができる。したがって、信号処理回路への電源供給を遮断する期間を設けることによって消費電力を削減するとともに、当該電源供給の遮断からの復帰直後においても、焦電型赤外線センサの出力に基づいて人の存在の有無を正確に検知することができる。この結果、焦電型赤外線センサを用いた人検知装置を適切に省電力化することができる。
【００１１】
好ましくは、人検知装置は、給湯システムに用いられる。制御回路は、給湯システムの運転オフ状態において電源スイッチをオフするとともに、給湯システムの運転オン状態において電源スイッチをオンする。
【００１２】
このように構成すると、給湯システムのオフ期間には、信号処理回路への電源供給を遮断することによって消費電力を削減する一方で、焦電型赤外線センサに対して電源を連続的に供給するので、給湯システムが運転オン状態に切換わった直後から、焦電型赤外線センサの出力に基づいて人の存在の有無を正確に検知することができる。
【００１３】
さらに好ましくは、制御回路は、給湯システムのオン状態において、人が検知されていない状態では、省電力モードを適用して断続的に電源スイッチをオンする。さらに、制御回路は、断続的な電源スイッチのオン期間において信号処理回路によって処理された信号に基づいて人の存在を検知すると、省電力モードを解除して電源スイッチがオンされる期間の割合を省電力モード時よりも増加させる。特に、制御回路は、省電力モードが解除されると、電源スイッチをオン状態に維持する。
【００１４】
このように構成すると、運転オン状態中に省電力モードを設けることにより、消費電力をさらに削減することができる。また、省電力モード中にも、周期的に信号処理回路への給電期間を設けることにより、省電力化と人検知機能との両立を図ることができる。
【発明の効果】
【００１５】
この発明によれば、焦電型赤外線センサを用いた人検知装置の省電力化を適切に行うことができる。
【図面の簡単な説明】
【００１６】
【図１】本実施の形態に従う人検知装置が適用された給湯システムの構成を説明する概略図である。
【図２】図１に示された給湯システムが適用された浴室の概略構成図である。
【図３】本発明の実施の形態に従う人検知装置の構成を説明するブロック図である。
【図４】本実施の形態に従う人検知装置の動作例を説明する概念的な波形図である。
【図５】図３に示された電源スイッチのオンオフ制御を説明するフローチャートである。
【図６】人検知装置の回路構成の変形例を説明するブロック図である。
【図７】本実施の形態に従う人検知装置における給電制御の変形例を説明するための状態遷移図である。
【図８】給電制御の変形例での省電力モードにおける電源スイッチの制御を説明するための概念的な波形図である。
【発明を実施するための形態】
【００１７】
以下に、本発明の実施の形態について図面を参照して詳細に説明する。なお、以下では図中の同一または相当部分には同一符号を付して、その説明は原則的に繰返さないものとする。
【００１８】
図１は、本発明の実施の形態に従う人検知装置が適用される給湯システムの構成を説明する概略図である。
【００１９】
図１を参照して、給湯システム５は、給湯器１０と、リモートコントローラ１００，２００とを備える。給湯器１０は、ガス等の燃料燃焼式またはヒートポンプ式で構成されて、温水を供給する。給湯器１０からの温水は、浴槽、シャワー、カラン等へ供給することができる。
【００２０】
給湯システム５に対するユーザ指令は、リモートコントローラ１００，２００によって入力される。リモートコントローラ１００，２００は、通信線２０および３０によって、給湯器１０と接続される。通信線２０，３０は、代表的には、２芯の通信ケーブルによって構成することができる。
【００２１】
リモートコントローラ１００は、たとえば、台所の壁面に配設される。以下では、リモートコントローラ１００を「台所リモコン１００」とも称する。台所リモコン１００は、給湯システム５の運転をオンオフするための運転スイッチ１０２と、操作スイッチ１０３と、表示部１０５とを含む。運転スイッチ１０２および操作スイッチ１０３は、代表的には、プッシュボタンやタッチボタンによって構成することができる。表示部１０５は、代表的には、液晶パネルによって構成することができる。操作スイッチ１０３の一部または全部は、タッチパネル上に形成されるソフトスイッチによって構成されてもよい。
【００２２】
リモートコントローラ２００は、浴室の壁面に配設される。以下では、リモートコントローラ２００を「浴室リモコン２００」とも称する。浴室リモコン２００は、運転スイッチ２０２と、操作スイッチ２０３，２０４と、表示部２０５とを有する。運転スイッチ２０２および操作スイッチ２０３，２０４は、代表的には、プッシュボタンやタッチボタンによって構成することができる。表示部２０５は、たとえば、蛍光表示管によって構成することができる。
【００２３】
図２は、図１に示された給湯システムが適用された浴室の概略構成図である。
図２を参照して、浴室５００には、浴槽５１０および浴室リモコン２００に加えて、浴室５００内の人の存在を検知するための人検知装置３００が配置される。浴槽５１０には、給湯器１０からの温水が、配管４０を経由して供給される。人検知装置３００は、たとえば、浴室リモコン２００の筐体（図示せず）に内蔵される。
【００２４】
図３は、本発明の実施の形態に従う人検知装置の構成を説明するブロック図である。
図３を参照して、人検知装置３００は、マイクロコンピュータ５０と、人検知センサ２１０と、信号処理回路２２０と、電源回路２５０と、電源配線２６０と、電源スイッチ２７０とを含む。図１に例示したように、人検知装置３００が浴室リモコン２００に内蔵される場合には、マイクロコンピュータ５０は、浴室リモコン２００に内蔵されるマイクロコンピュータ（図示せず）の一部機能を用いて構成することができる。
【００２５】
人検知センサ２１０は、焦電型赤外線センサによって構成される。焦電型赤外線センサは、物体の動作等によって視野内に熱エネルギの変化が生じたときに電圧信号を発生する。このため、人が動くと、これに応じて出力電圧が発生される。たとえば、人検知センサ２１０は、浴室リモコン２００の筐体（図示せず）に内蔵されて、当該筐体に設けられた開口部から浴室５００内を視野内に収めるように配置される。また、特許文献１，２にも記載されるとおり、焦電型赤外線センサは、電源投入直後では出力が不安定となる特性を有している。
【００２６】
信号処理回路２２０は、増幅器２３０および比較器２４０を有する。人検知センサ２１０の出力電圧Ｖｓ（以下、センサ出力電圧とも称する）は、浴室５００内での物体の動きに応じた電圧レベルを有する。すなわち、物体の動きが大きいときほど、センサ出力電圧Ｖｓは大きくなる。
【００２７】
増幅器２３０は、センサ出力電圧Ｖｓを所定の増幅率ｋで増幅した増幅電圧Ｖａｍｐを出力する。比較器２４０は、判定電圧Ｖｔと増幅電圧Ｖａｍｐとを比較する。比較器２４０の出力信号Ｖｃｍは、Ｖａｍｐ＞Ｖｔのとき論理ハイレベル（以下単に「Ｈレベル」と表記する）に設定される。一方で、出力信号Ｖｃｍは、Ｖａｍｐ≦Ｖｔのときには、論理ローレベル（以下単に「Ｌレベル」と表記する）に設定される。このように、信号処理回路２２０は、人検知センサ２１０の出力信号（センサ出力電圧Ｖｓ）を処理した信号として、出力信号Ｖｃｍをマイクロコンピュータ５０へ出力する。
【００２８】
マイクロコンピュータ５０は、信号処理回路２２０からの出力信号Ｖｃｍに基づいて、センサ出力電圧Ｖｓおよびしきい値電圧の比較に従って、浴室５００内に人が存在しているか否かを検知することができる。
【００２９】
図４は、本実施の形態に従う人検知装置３００の動作例を説明する概念的な波形図である。図４の縦軸には、センサ出力電圧Ｖｓが示される。増幅器２３０による増幅率ｋを用いて、Ｖｓ＝Ｖａｍｐ／ｋで示される。人検知センサ２１０が交流電圧を発生する場合には、センサ出力電圧Ｖｓは、当該交流電圧の大きさ（振幅）を示すものとする。
【００３０】
人検知装置３００では、センサ出力電圧Ｖｓとしきい値電圧Ｖ１との比較に基づいて、浴室５００内での人の存在の有無が検知される。したがって、比較器２４０での判定電圧Ｖｔ＝Ｖ１・ｋに設定される。判定電圧Ｖｔは、分圧回路（図示せず）によって発生してもよく、マイクロコンピュータ５０からの指令値（ディジタル値）をＤ／Ａ変換することによって発生されてもよい。
【００３１】
時刻ｔ１までの期間では、Ｖｓ＜Ｖ１であるため、Ｖａｍｐ＜Ｖｔとなり、この結果、比較器２４０の出力信号ＶｃｍがＬレベルのため、人検知はオフ状態に維持される。センサ出力電圧Ｖｓが浴室５００へ人が入室する比較的大きな動作に応じて上昇すると、時刻ｔ１において、センサ出力電圧ＶｓがＶ１に達する。これにより、Ｖａｍｐ＞Ｖｔとなるため、比較器２４０の出力信号ＶｃｍがＨレベルに遷移することにより、人検知はオン状態に変化する。
【００３２】
浴室５００への入室後、浴室５００内での人の動作が小さくなることに応じて、センサ出力電圧Ｖｓは低下する。浴室５００から人が退出することによって、センサ出力電圧Ｖｓは、さらに減少する。このような動作を通じて、時刻ｔ２において、センサ出力電圧Ｖｓがしきい値電圧Ｖ１よりも低下すると、Ｖａｍｐ＜Ｖｔとなるため、比較器２４０の出力信号ＶｃｍはＨレベルからＬレベルに変化する。これに応じて、人検知がオフ状態とされる。
【００３３】
あるいは、出力信号ＶｃｍはＨレベルからＬレベルに変化してから（時刻ｔ２）、Ｖｃｍ＝Ｌレベルの状態が所定時間ΔＴに亘って継続したときに（時刻ｔ３）、人検知がオフ状態とされてもよい。このようにすると、人検知のオンからオフへの変化について、チャタリングの発生を防止して安定的に検出することができる。
【００３４】
再び図３を参照して、本実施の形態に従う人検知装置３００で電源供給構成をさらに説明する。
【００３５】
電源回路２５０は、給湯システム５のプラグ２５５がコンセント６１０に接続されることにより、商用系統電源６００と電気的に接続される。電源回路２５０は、プラグ２５５を経由して、商用系統電源６００から供給された交流電圧を、人検知装置３００の電源電圧Ｖｃ１（ＤＣ）に変換する。すなわち、人検知センサ２１０および信号処理回路２２０は、電源電圧Ｖｃ１の供給によって作動可能となる。
【００３６】
電源回路２５０は、人検知センサ２１０および信号処理回路２２０に並列に電源電圧Ｖｃ１を供給するために、電源配線２６０に電源電圧Ｖｃ１を出力する。電源配線２６０は、電源回路２５０および人検知センサ２１０の間を電気的に接続する。したがって、電源投入直後には出力が不安定になる傾向にある人検知センサ２１０に対しては、商用系統電源６００から電力が供給される期間において、給湯システム５の運転オン、オフ状態に関わらず電源電圧Ｖｃ１を供給することができる。
【００３７】
これに対して、信号処理回路２２０（具体的には、増幅器２３０および比較器２４０）は、電源スイッチ２７０を経由して、電源配線２６０と接続される。すなわち、電源スイッチ２７０が、信号処理回路２２０および電源回路２５０の間に電気的に接続される。これにより、信号処理回路２２０に対する電源電圧Ｖｃ１の供給は、電源スイッチ２７０のオフによって遮断することができる。電源スイッチ２７０のオンオフは、たとえば、マイクロコンピュータ５０からの制御信号Ｓｐｓによって制御することができる。
【００３８】
マイクロコンピュータ５０に対しては、電源電圧Ｖｃ２が供給される。本実施の形態に従う人検知装置３００では、マイクロコンピュータ５０に対する電源供給は任意の構成で行うことができる。なお、電源電圧Ｖｃ２が電源電圧Ｖｃ１と同一電圧レベルである場合には、電源配線２６０をさらにマイクロコンピュータ５０と接続することによって、マイクロコンピュータ５０の電源を供給することも可能である。
【００３９】
マイクロコンピュータ５０は、「制御回路」の一実施例に対応する。なお、本実施の形態では、電源スイッチ２７０の制御機能（制御信号Ｓｐｓの生成）と、人の存在の有無の検知機能とを共通のマイクロコンピュータ５０によって実行する例を記載しているが、両機能は別個に設けられた２個のマイクロコンピュータによってそれぞれ実行されてもよい。
【００４０】
図５は、図３に示された電源スイッチのオンオフ制御を説明するフローチャートである。図５に示された制御処理は、マイクロコンピュータ５０によって周期的に実行することができる。
【００４１】
図５を参照して、マイクロコンピュータ５０は、ステップＳ１００により、人検知の情報が必要な状態であるか否かを判定する。たとえば、台所リモコン１００または浴室リモコン２００における運転スイッチ１０２または２０２の操作に応じて給湯システム５が運転オン状態であるときに、ステップＳ１００はＹＥＳ判定とされる。一方で、給湯システム５が運転オフ状態であるときに、ステップＳ１００はＮＯ判定とされる。
【００４２】
マイクロコンピュータ５０は、給湯システム５が運転オン状態であるとき（Ｓ１００のＹＥＳ判定時）には、ステップＳ１１０により、電源スイッチ２７０をオンするように制御信号Ｓｐｓを設定する。
【００４３】
これに対して、マイクロコンピュータ５０は、給湯システム５が運転オフ状態であるとき（Ｓ１００のＮＯ判定時）には、ステップＳ１２０により、電源スイッチ２７０をオフするように制御信号Ｓｐｓを設定する。
【００４４】
このように、本実施の形態に従う人検知装置では、焦電型赤外線センサによって構成された人検知センサ２１０と、信号処理回路２２０との間で電源供給を分岐させており、給湯システム５の運転オフ状態では、人検知の情報が必要な状態ではないと判断して、信号処理回路２２０への電源供給を遮断する一方で、人検知センサ２１０には、運転オフ状態においても電源電圧Ｖｃ１を継続的に供給することができる。
【００４５】
ここで、特許文献１，２のように、人検知センサ２１０および信号処理回路２２０の電源を共通に供給する構成では、省電力の目的で、給湯システム５の運転オフ状態時に電源供給を単純に遮断すると、たとえば、浴室リモコン２００（運転スイッチ２０２）の操作によって給湯システム５が運転オン状態とされた、焦電型赤外線センサへの電源投入直後において、当該操作を行ったユーザを正確に検知できない虞がある。
【００４６】
これに対して、本実施の形態に従う人検知装置では、給湯システム５の運転オフ状態では、信号処理回路２２０への電源供給を遮断することによって人検知装置の消費電力（待機電力）を削減することができるとともに、人検知センサ２１０には、運転オフ状態においても電源が継続的に供給されるので、給湯システム５が運転オン状態に切換わった直後から、浴室５００内における人の存在の有無を正確に検知することができる。この結果、焦電型赤外線センサを用いた人検知装置３００を適切に省電力化することができる。
【００４７】
図６には、人検知装置の回路構成の変形例を説明するブロック図である。
図６を図３と比較して、変形例に従う回路構成では、人検知装置３００は、図３での比較器２４０の機能をマイクロコンピュータ５０によって実行する。このため、比較器２４０の配置を省略することができる。すなわち、信号処理回路２２０は、増幅器２３０によって構成される。したがって、図６の例では、信号処理回路２２０は、人検知センサ２１０の出力信号（センサ出力電圧Ｖｓ）を処理した信号として、増幅電圧Ｖａｍｐをマイクロコンピュータ５０へ出力する。
【００４８】
マイクロコンピュータ５０は、内蔵したＡ／Ｄ変換回路５２を用いて、増幅器２３０による増幅電圧Ｖａｍｐをディジタル値に変換する。そして、増幅電圧Ｖａｍｐは、マイクロコンピュータ５０でのソフトウェア処理によって、図３と同様の判定電圧Ｖｔと比較される。したがって、図６の回路構成によっても、図３の回路構成と同様に、センサ出力電圧Ｖｓおよびしきい値電圧Ｖ１の比較に基づいて、浴室５００内での人の存在の有無を検知することができる。
【００４９】
図６に示された人検知装置３００においても、焦電型赤外線センサで構成された人検知センサ２１０と、信号処理回路２２０とに対する電源供給構成は、図３と同様である。したがって、電源スイッチ２７０についても、図５に示した制御処理に従って、マイクロコンピュータ５０からの制御信号Ｓｐｓによってオンオフを制御することができる。
【００５０】
この結果、図６に示された回路構成を有する人検知装置３００についても、図３に示された人検知装置と同様に、適切に省電力化することができる。
【００５１】
（給電制御の変形例）
次に、本実施の形態に従う人検知装置における給電制御、すなわち、電源スイッチ２７０の制御の変形例について説明する。以下に説明する給電制御の変形例は、図３および図６にそれぞれ示した回路構成の各々に適用することができる。
【００５２】
図７は、本実施の形態に従う人検知装置における給電制御の変形例を説明するための状態遷移図である。
【００５３】
図７を参照して、給湯システム５の運転オフ状態では、電源スイッチ２７０はオフに維持される。運転オフ状態において、運転スイッチ１０２または２０２が操作されると、給湯システム５は、運転オン状態に遷移する。
【００５４】
給電制御の変形例では、運転オン状態中に省電力モードが設けられる。したがって、運転オン状態では、省電力モードと、省電力モードが解除された通常モードとが設けられる。たとえば、運転オン状態において、省電力モードの解除中に、人検知装置３００による人検知オフ状態が所定時間を超えて連続すると、省電力モードが適用される。これに対して、省電力モード中に人検知がオフ状態からオン状態に変化すると、省電力モードは解除される。
【００５５】
運転オン状態では、通常モードにおいて、運転スイッチ１０２または２０２が操作されると、給湯システム５は運転オフ状態に遷移する。一方で、省電力モードにおいて、運転スイッチ１０２または２０２が操作されると、省電力モードは解除されて、通常モードが適用される。以下に説明するように、省電力モードと、通常モード（省電力モードの解除中）との間では、電源スイッチ２７０の制御が変更される。
【００５６】
図８は、給電制御の変形例での省電力モードにおける電源スイッチの制御を説明するための概念的な波形図である。
【００５７】
図８を参照して、省電力モードでは、マイクロコンピュータ５０は、電源スイッチ２７０を断続的にオンするように、制御信号Ｓｐｓを生成する。たとえば、制御信号Ｓｐｓは、周期Ｔ０毎にオン期間Ｔ１（Ｔ０＞Ｔ１）を有する、周期的なパルス信号として生成される。すなわち、図８の例では、省電力モードにおける電源スイッチ２７０のオン期間比は、Ｔ１／Ｔ０で示される。
【００５８】
一方で、図３および図６で説明したように、人検知センサ２１０（焦電型世紀外線センサ）に対して、電源電圧Ｖｃ１は常時供給されているため、センサ出力電圧Ｖｓは、視野内での熱エネルギの分布変化に従って、正常に出力されている。したがって、信号処理回路２２０に対する電源電圧Ｖｃ１の供給をオンオフしても、電源スイッチ２７０がオンされた信号処理回路２２０への給電期間において、マイクロコンピュータ５０は、センサ出力電圧Ｖｓとしきい値電圧Ｖ１との比較に基づいて、人の存在の有無を検知することができる。
【００５９】
図８の例では、省電力モードが適用されて電源スイッチ２７０が断続的にオンオフされる下、制御信号Ｓｐｓの最初の３パルスによる信号処理回路２２０への給電期間では、Ｖｓ＜Ｖ１であるため、人の存在は検知されない。
【００６０】
図８中の制御信号Ｓｐｓの４パルス目による信号処理回路２２０への給電期間において、Ｖｓ＞Ｖ１の状態であることが、マイクロコンピュータ５０によって検出される（時刻ｔａ）。たとえば、マイクロコンピュータ５０は、省電力モードの適用中において、複数パルス（図８の例では３パルス）連続してＶｓ＞Ｖ１の状態であることを検知すると（時刻ｔａ，ｔｂ，ｔｃ）、時刻ｔｃにおいて、人の存在を検知する（人検知オン）。人検知がオンされると、省電力モードが解除される。あるいは、図８中に点線で示すように、省電力モード中に、信号処理回路２２０への給電期間においてＶｓ＞Ｖ１の状態であることが検知されると、即座に省電力モードを解除することも可能である。
【００６１】
マイクロコンピュータ５０は、省電力モードが解除されて通常モードが適用されると、電源スイッチ２７０をオン状態に維持するように制御信号Ｓｐｓを生成する。あるいは、通常モードでは、電源スイッチ２７０は周期的にオンオフされてもよい。ただし、この場合には、電源スイッチ２７０のオン期間比が省電力モード（Ｔ１／Ｔ０）よりも大きくなるように、制御信号Ｓｐｓは生成される。このように、通常モードでは、省電力モードと比較して、電源スイッチ２７０のオン期間比が増加される。
【００６２】
以上説明した、本実施の形態に従う人検知装置での給電制御の変形例によれば、運転オン状態中に省電力モードを設けることにより、消費電力をさらに削減することができる。また、省電力モード中にも、信号処理回路２２０への給電期間を断続的に設けることにより、省電力化と人検知機能の確保との両立を図ることができる。
【００６３】
なお、本実施の形態では、人検知装置３００を給湯システム５に適用して浴室５００内での人の存在の有無を検知する例を説明したが、本発明の適用はこのような例に限定されるものではない。すなわち、人検知装置が給湯システムで浴室以外に適用された場合、および、人検知装置が給湯システム以外に適用された場合でも、人検知の情報が必要な状態であるか否かの判定に基づいて電源スイッチを同様に制御することによって、同様の効果を享受することが可能である。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６５】
５  給湯システム、１０  給湯器、２０，３０  通信線、４０  配管、５０  マイクロコンピュータ、５２  Ａ／Ｄ変換回路、１００  リモートコントローラ（台所リモコン）、１０２，２０２  運転スイッチ、１０３，２０３，２０４  操作スイッチ、１０５，２０５  表示部、２００  リモートコントローラ（浴室リモコン）、２１０  人検知センサ、２２０  信号処理回路、２３０  増幅器、２４０，４２０  比較器、２５０  電源回路、２５５  プラグ、２６０  電源配線、２７０  電源スイッチ、３００  人検知装置、５００  浴室、５１０  浴槽、６００  商用系統電源、６１０  コンセント、Ｓｐｓ  制御信号（電源スイッチ）、Ｖ１  しきい値電圧、Ｖａｍｐ  増幅電圧、Ｖｃ１  常時電源電圧、Ｖｃ１  電源電圧、Ｖｃ１，Ｖｃ２  電源電圧、Ｖｓ  センサ出力電圧、Ｖｔ  判定電圧。
【図１】
2018054486.tif 000003
【図２】
2018054486.tif 000004
【図３】
2018054486.tif 000005
【図４】
2018054486.tif 000006
【図５】
2018054486.tif 000007
【図６】
2018054486.tif 000008
【図７】
2018054486.tif 000009
【図８】
2018054486.tif 000010